(57)【要約】【課題】情報コードを光学的に読み取り可能な端末に対して大容量のデータを伝達し得る構成を提供する。【解決手段】第１端末１０にて、所定のデータを所定の分割数ｎにて分割した分割データごとに当該分割データを含めた分割コードＣ１〜Ｃｎが生成されると、各分割コードＣ１〜Ｃｎが表示部１３により個別に順次表示される。そして、第２端末２０にて、表示部１３にて順次表示された各分割コードＣ１〜Ｃｎが順次撮像されて解読されると、解読された複数の解読結果に基づいてそれぞれ得られた分割データから所定のデータが復元されて取得される。【選択図】図１
2018124704.tif 000002
【特許請求の範囲】
【請求項１】
第１端末及び第２端末を備え、前記第１端末にて表示される情報コードを前記第２端末に光学的に読み取らせることで前記第１端末から前記第２端末に対して所定のデータを伝達する情報伝達システムであって、
前記第１端末は、
前記所定のデータを所定の分割数にて分割した分割データごとに当該分割データを含めた情報コードを生成する情報コード生成部と、
前記情報コード生成部により前記分割データごとに生成された前記情報コードを順次表示する表示部と、
を備え、
前記第２端末は、
前記表示部にて順次表示された前記情報コードを順次撮像する撮像部と、
前記撮像部により撮像された前記情報コードを解読する解読部と、
前記解読部により解読された複数の解読結果に基づいてそれぞれ得られた前記分割データから前記所定のデータを復元して取得する取得部と、
を備えることを特徴とする情報伝達システム。
【請求項２】
前記情報コード生成部は、前記分割データに加えて他の分割データと区別するための通し番号及び前記所定の分割数を含めるように前記情報コードを生成することを特徴とする請求項１に記載の情報伝達システム。
【請求項３】
前記表示部は、前記通し番号の最初の番号に対応する前記情報コードから最後の番号に対応する前記情報コードまで順次表示した後、再び前記最初の番号に対応する前記情報コードからの順次表示を繰り返すことを特徴とする請求項２に記載の情報伝達システム。
【請求項４】
前記第２端末は、
前記解読部により解読された複数の解読結果に基づいてそれぞれ得られた前記通し番号及び前記所定の分割数から、解読されていない前記分割データがあるか否かについて判定する判定部と、
前記判定部により解読されていない前記分割データがあると判定されると、当該分割データに対応する前記通し番号に関する情報を報知する報知部と、
を備え、
前記取得部は、前記報知部により前記報知がなされると、前記報知部による報知前に前記解読部により解読された複数の解読結果に基づいてそれぞれ得られた前記分割データと、前記報知部による報知後に前記解読部により解読された１又は２以上の解読結果に基づいてそれぞれ得られた前記分割データとから前記所定のデータを復元して取得することを特徴とする請求項２又は３に記載の情報伝達システム。
【請求項５】
前記報知部は、前記取得部により前記所定のデータが復元されて取得されるとその旨を報知することを特徴とする請求項４に記載の情報伝達システム。
【請求項６】
前記第１端末は、
前記通し番号に関する情報を入力操作可能な操作部を備え、
前記表示部は、前記操作部に対して前記通し番号に関する情報が入力操作されると、当該通し番号に対応する前記情報コードを表示することを特徴とする請求項２〜５のいずれか一項に記載の情報伝達システム。
【発明の詳細な説明】
【技術分野】
【０００１】
本発明は、情報コードを利用して第１端末から第２端末に対して所定のデータを伝達する情報伝達システムに関するものである。
【背景技術】
【０００２】
従来、送信側となる第１端末から受信側となる第２端末に対して所定のデータを伝達する際、無線通信を利用する場合が多くなっているが、その通信環境等によっては電波の混線に起因する通信障害等のために不具合も生じている。特に、テナントビルなどの多数の企業が入っているビルでは、電波の混線対策等のために無線通信が制限または禁止されている場合が多い。このような場合、クレードル等を利用した有線通信により端末間での情報の伝達を行う方法も考えられるが、ドライバや転送ソフトの開発だけでなく、各種ソフト及びドライバ等のインストールや配線作業等、様々な作業が必要になるという問題がある。
【０００３】
このような問題に対して、例えば、下記特許文献１に開示される分離型電子機器が知られている。この分離型電子機器は、バーコード表示装置とハンディターミナル装置とを備えており、日付時刻情報をコード化したバーコードをバーコード表示装置にて表示し、この表示されたバーコードをハンディターミナル装置にて光学的に読み取ることで、バーコード表示装置からハンディターミナル装置に対して日付時刻情報を伝達している。
【先行技術文献】
【特許文献】
【０００４】
【特許文献１】特開平１０−１４３５９５号公報
【発明の概要】
【発明が解決しようとする課題】
【０００５】
しかしながら、上記特許文献１に開示されるような構成では、情報コードを光学的に読み取り可能な端末に対して日付時刻情報のような容量の少ないデータは伝達できても、例えば、読取作業に利用するマスターデータ等の大容量のデータを伝達することができないという問題がある。
【０００６】
本発明は、上述した課題を解決するためになされたものであり、その目的とするところは、情報コードを光学的に読み取り可能な端末に対して大容量のデータを伝達し得る構成を提供することにある。
【課題を解決するための手段】
【０００７】
上記目的を達成するため、特許請求の範囲の請求項１に記載の発明は、
第１端末（１０）及び第２端末（２０）を備え、前記第１端末にて表示される情報コード（Ｃ１〜Ｃｎ）を前記第２端末に光学的に読み取らせることで前記第１端末から前記第２端末に対して所定のデータを伝達する情報伝達システム（１）であって、
前記第１端末は、
前記所定のデータを所定の分割数（ｎ）にて分割した分割データごとに当該分割データを含めた情報コードを生成する情報コード生成部（１１）と、
前記情報コード生成部により前記分割データごとに生成された前記情報コードを順次表示する表示部（１３）と、
を備え、
前記第２端末は、
前記表示部にて順次表示された前記情報コードを順次撮像する撮像部（２３）と、
前記撮像部により撮像された前記情報コードを解読する解読部（４０）と、
前記解読部により解読された複数の解読結果に基づいてそれぞれ得られた前記分割データから前記所定のデータを復元して取得する取得部（４０）と、
を備えることを特徴とする。
なお、上記各括弧内の符号は、後述する実施形態に記載の具体的手段との対応関係を示すものである。
【発明の効果】
【０００８】
請求項１の発明では、第１端末にて、所定のデータを所定の分割数にて分割した分割データごとに当該分割データを含めた情報コードが情報コード生成部により生成されると、この情報コードが表示部により順次表示される。そして、第２端末にて、表示部にて順次表示された情報コードが撮像部により順次撮像されて解読部により解読されると、解読された複数の解読結果に基づいてそれぞれ得られた分割データから取得部により所定のデータが復元されて取得される。
【０００９】
これにより、無線通信を利用することなく第１端末から第２端末に対して所定のデータを伝達することができる。特に、大容量となる所定のデータを伝達する場合には、上記所定の分割数を多くすればよいので、情報コードを光学的に読み取り可能な第２端末に対して大容量のデータを伝達することができる。
【００１０】
請求項２の発明では、情報コード生成部により、分割データに加えて他の分割データと区別するための通し番号及び所定の分割数を含めるように情報コードが生成される。これにより、取得部は、順次撮像されて解読される情報コードの解読結果に含まれる通し番号及び所定の分割数に基づいて各分割データから所定のデータを復元することで、所定のデータを容易に復元することができる。特に、通し番号や所定の分割数を利用することで、復元処理の際の分割データの読み飛ばしや重複等をも検知できるため、読み飛ばした分割データの特定や重複する分割データの破棄等を容易に行うことができる。
【００１１】
請求項３の発明では、表示部により、通し番号の最初の番号に対応する情報コードから最後の番号に対応する情報コードまで順次表示した後、再び最初の番号に対応する情報コードからの順次表示が繰り返される。これにより、第２端末にて全ての分割データが取得されるまで情報コードの解読を順次行うことで、分割データの読み飛ばしが抑制されて、所定のデータを確実に復元することができる。
【００１２】
請求項４の発明では、第２端末にて、解読部により解読された複数の解読結果に基づいてそれぞれ得られた通し番号及び所定の分割数から、解読されていない分割データがあると判定部により判定されると、当該分割データに対応する通し番号に関する情報が報知部により報知される。そして、報知部により報知がなされると、この報知前に解読部により解読された複数の解読結果に基づいてそれぞれ得られた分割データと、報知後に解読部により解読された１又は２以上の解読結果に基づいてそれぞれ得られた分割データとから取得部により所定のデータが復元されて取得される。
【００１３】
これにより、例えば、順次表示される情報コードの１つの解読に失敗したために当該情報コードに含まれる分割データが取得されない場合でも、その分割データに対応する通し番号に関する情報が報知されるので、報知を受けた利用者は、再度撮像すべき情報コードを容易に特定することができる。そして、報知を受けた利用者による操作等に応じて、再度撮像すべき情報コードが撮像されて分割データが得られると、この分割データと報知前に得られた各分割データとから所定のデータが復元されて取得されるので、第２端末に対して大容量のデータを確実に伝達することができる。
【００１４】
請求項５の発明では、取得部により所定のデータが復元されて取得されるとその旨が報知部により報知される。これにより、通し番号に関する情報の報知を受けた利用者が再度撮像すべき情報コードを撮像したことで所定のデータが取得される場合にはその旨が報知されるので、一部の情報コードの解読が失敗した場合であっても、その後になされる報知を受けた利用者は、第２端末への所定のデータの伝達が完了したことを容易に把握することができる。
【００１５】
請求項６の発明では、第１端末にて、操作部に対して通し番号に関する情報が入力操作されると、当該通し番号に対応する情報コードが表示部にて表示される。これにより、一部の情報コードの解読に失敗したために対応する通し番号に関する情報が報知される場合には、その報知を受けた利用者等による当該通し番号に関する情報の入力操作に応じて対応する情報コードが表示されるので、再度撮像すべき情報コードを第２端末にて容易に撮像することができる。
【図面の簡単な説明】
【００１６】
【図１】本発明の第１実施形態に係る情報伝達システムの概略構成を示す斜視図である。
【図２】図１の第１端末の電気的構成を例示するブロック図である。
【図３】図１の第２端末の電気的構成を例示するブロック図である。
【図４】第１端末の表示部に各分割コードが順次表示される状態を説明する説明図である。
【図５】第１実施形態の第２端末にて行われる読取処理の流れを例示するフローチャートである。
【図６】第２実施形態の第２端末にて行われる読取処理の流れを例示するフローチャートである。
【発明を実施するための形態】
【００１７】
［第１実施形態］
以下、本発明に係る情報伝達システムを具現化した第１実施形態について、図面を参照して説明する。
図１に示す情報伝達システム１は、情報コードを利用して端末間での情報伝達を行うためのシステムであって、情報伝達を行う端末として、第１端末１０と第２端末２０とを備えている。第１端末１０は、第２端末２０に伝達すべき所定のデータに基づいて順次生成される情報コードを生成して表示するように機能し、第２端末２０は、順次撮像された情報コードを解読することで上記所定のデータを取得するように機能する。
【００１８】
まず、第１端末１０の詳細構成について、図２等を参照して説明する。
図１及び図２に示す第１端末１０は、第２端末２０に対して所定のデータを伝達するための端末であって、主に、制御部１１、記憶部１２、表示部１３、操作部１４及び通信部１５等から構成されている。制御部１１は、マイコンを主体として構成されるものであり、ＣＰＵ、システムバス、入出力インタフェース等を有し、記憶部１２とともに情報処理装置として機能している。記憶部１２は、ＲＯＭ、ＲＡＭ、不揮発性メモリなどの公知の半導体メモリなどによって構成されており、この記憶部１２には、情報コードの生成のための所定のプログラム等が、制御部１１により実行可能に予め格納されている。
【００１９】
表示部１３は、液晶等から構成されており、制御部１１により制御されて、後述するように生成された分割コードの順次表示や他の情報等の表示を行う機能を有するものである。操作部１４は、複数のキー或いはタッチパネル等により構成されており、制御部１１に対してキー操作或いはタッチ操作に応じた情報を入力する機能を有するものである。通信部１５は、ＬＡＮ等の所定のネットワークを介して有線通信または無線通信を行う公知の通信インタフェースとして構成されており、制御部１１と協働して外部機器と通信を行うように機能する。
【００２０】
このように構成される第１端末１０は、第２端末２０に対して伝達すべき所定のデータを所定の分割数にて分割し、分割データごとに当該分割データを含めた情報コードを生成し、各情報コードを刻々と変化させるように順次個別に表示することで、当該所定のデータを第２端末２０に伝達する。ここで、伝達すべき所定のデータとは、１つの情報コードでは記録できないような大容量データであって、例えば、各情報コードからそれぞれ読み取ったデータと商品名等とを対応付ける読取作業に必要なマスターデータ等が想定される。
【００２１】
具体的には、通信部１５等を利用して予め上記所定のデータが記憶部１２に記憶されている状態にて操作部１４に対して所定の操作がなされることで、制御部１１にて上記分割データに対応する情報コードを順次表示するための情報コード表示処理がなされる。この情報コード表示処理では、まず、記憶部１２に記憶されている上記所定のデータを所定の分割数ｎ（例えば、１００個）にて分割し、この分割した分割データに加えて他の分割データと区別可能であって復元時に連結する順番を特定するための通し番号（シーケンス番号）と所定の分割数ｎとを含めるように情報コードが分割コードとして分割データごとに生成される。すなわち、各分割データをその通し番号順に連結することで、上記所定のデータを復元することができる。その後、図４に示すように、分割データに応じて生成された各分割コードＣ１〜Ｃｎが、通し番号順にて個別に所定の表示間隔にて順次表示部１３に表示される。
【００２２】
特に、本実施形態における情報コード表示処理では、表示部１３にて、通し番号の最初の番号に対応する分割コードＣ１から最後の番号に対応する分割コードＣｎまで順次表示した後、再び最初の番号に対応する分割コードＣ１からの順次表示を繰り返す。なお、本実施形態では、上記所定の表示間隔は、例えば、０．３ｓであって、第２端末２０による読取処理等に応じて設定されている。なお、分割コードＣ１〜Ｃｎを生成する制御部１１は、「情報コード生成部」の一例に相当し得る。
【００２３】
次に、第２端末２０の詳細構成について、図３等を参照して説明する。
図１及び図３に示す第２端末２０は、第１端末１０の表示部１３に順次表示される分割コードＣ１〜Ｃｎを含め、読取対象物Ｒに付された情報コードＣを光学的に読み取る携帯型のコードリーダとして構成されている。この第２端末２０は、ケース２１によって外郭が構成され、このケース２１内に各種電子部品が収容された構成をなしている。
【００２４】
図３に示すように、第２端末２０は、主に、照明光源２２、受光センサ２３、フィルタ２５、結像レンズ２７等の光学系と、メモリ３５、制御回路４０、操作部４２、表示部４６等のマイクロコンピュータ（以下「マイコン」という）系と、電源スイッチ４１、電池４９等の電源系と、から構成されている。なお、これらは、図略のプリント配線板に実装あるいはケース２１内に内装されている。
【００２５】
光学系は、照明光源２２、受光センサ２３、フィルタ２５、結像レンズ２７等から構成されている。照明光源２２は、照明光Ｌｆを発光可能な照明光源として機能するもので、例えば、赤色のＬＥＤとこのＬＥＤの出射側に設けられる拡散レンズ、集光レンズ等とから構成されている。本実施形態では、受光センサ２３を挟んだ両側に照明光源２２が設けられており、ケース２１に形成された読取口２１ａを介して読取対象物Ｒに向けて照明光Ｌｆを照射可能に構成されている。
【００２６】
受光センサ２３は、上述した分割コードＣ１〜Ｃｎを含めた情報コードＣを撮像可能な撮像部として機能するもので、情報コードＣからの反射光Ｌｒや表示部１３にて表示される分割コードＣ１〜Ｃｎからの光を受光可能に構成され、例えば、Ｃ−ＭＯＳやＣＣＤ等の固体撮像素子である受光素子を２次元に配列したエリアセンサが、これに相当する。この受光センサ２３は、結像レンズ２７を介して入射する入射光を受光面２３ａで受光可能に図略のプリント配線板に実装されている。
【００２７】
フィルタ２５は、例えば反射光Ｌｒの波長相当以下の光の通過を許容し、当該波長相当を超える光の通過を遮断し得る光学的なローパスフィルタで、ケース２１に形成された読取口２１ａと結像レンズ２７との間に設けられている。これにより、反射光Ｌｒの波長相当を超える不要な光が受光センサ２３に入射することを抑制している。また、結像レンズ２７は、例えば、鏡筒とこの鏡筒内に収容される複数の集光レンズとによって構成されており、本実施形態では、ケース２１に形成された読取口２１ａに入射する光を集光し、受光センサ２３の受光面２３ａに情報コードＣのコード画像を結像するように構成されている。
【００２８】
マイコン系は、増幅回路３１、Ａ／Ｄ変換回路３３、メモリ３５、アドレス発生回路３６、同期信号発生回路３８、制御回路４０、操作部４２、ＬＥＤ４３、ブザー４４、表示部４６、通信インタフェース４８等から構成されている。このマイコン系は、マイコン（情報処理装置）として機能し得る制御回路４０及びメモリ３５を中心として構成され、前述した光学系によって撮像された情報コードＣの画像信号をハードウェア的およびソフトウェア的に信号処理し得るものである。
【００２９】
光学系の受光センサ２３から出力される画像信号（アナログ信号）は、増幅回路３１に入力されることで所定ゲインで増幅された後、Ａ／Ｄ変換回路３３に入力され、アナログ信号からディジタル信号に変換される。そして、ディジタル化された画像信号、つまり画像データ（画像情報）は、メモリ３５に入力され、当該メモリ３５の画像データ蓄積領域に蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３０】
メモリ３５は、半導体メモリ装置などによって構成され、例えばＲＡＭ（ＤＲＡＭ、ＳＲＡＭ等）やＲＯＭ（ＥＰＲＯＭ、ＥＥＰＲＯＭ等）等がこれに相当する。このメモリ３５のうちのＲＡＭには、前述した画像データ蓄積領域のほかに、制御回路４０が算術演算や論理演算等の各処理時に利用する作業領域や読取条件テーブルも確保可能に構成されている。またＲＯＭには、後述する読取処理等を実行可能な所定プログラムやその他、照明光源２２、受光センサ２３等の各ハードウェアを制御可能なシステムプログラム等が予め格納されている。
【００３１】
制御回路４０は、第２端末２０全体を制御可能なマイコンで、ＣＰＵ、システムバス、入出力インタフェース等からなるものであり、情報処理機能を有している。この制御回路４０には、内蔵された入出力インタフェースを介して種々の入出力装置（周辺装置）が接続されており、本実施形態の場合、電源スイッチ４１、操作部４２、ＬＥＤ４３、ブザー４４、表示部４６、通信インタフェース４８等が接続されている。また、通信インタフェース４８には、第２端末２０の上位システムに相当するホストコンピュータ（図示略）などを接続できるようになっている。
【００３２】
電源系は、電源スイッチ４１、電池４９等により構成されており、制御回路４０により管理される電源スイッチ４１のオンオフによって、上述した各装置や各回路に、電池４９から供給される駆動電圧の導通や遮断が制御されている。なお、電池４９は、所定の直流電圧を発生可能な２次電池で、例えば、リチウムイオン電池等がこれに相当する。
【００３３】
次に、第１端末１０から第２端末２０に所定のデータを伝達する場合に第２端末２０にてなされる読取処理について、図５に示すフローチャートを用いて詳述する。
操作部４２に対して所定の操作がなされることで制御回路４０により読取処理が開始されると、図５のステップＳ１０１に示す撮像処理がなされ、受光センサ２３による情報コードを撮像するための処理がなされる。続いて、撮像された撮像画像に対する解読処理（デコード処理）がなされ（Ｓ１０３）、情報コードが撮像されていないか撮像された情報コードの解読に失敗していると、ステップＳ１０５の判定処理にてＮｏと判定されて、上記ステップＳ１０１からの処理がなされる。
【００３４】
そして、情報コードの解読に成功すると（Ｓ１０５でＹｅｓ）、ステップＳ１０７に示す判定処理にて、分割コードの解読であるか否かについて判定される。ここで、表示部１３に表示される各分割コードＣ１〜Ｃｎとは異なる通常の情報コードの解読に成功していることから解読結果に通し番号や所定の分割数ｎ等が含まれない場合には、ステップＳ１０７にてＮｏと判定されて、ステップＳ１１５の記憶処理にてその解読結果がメモリ３５に記憶されて、本読取処理が終了する。
【００３５】
一方、図１に示すように、第１端末１０の表示部１３に読取口２１ａを向けた状態で読取処理を開始しており、各分割コードＣ１〜Ｃｎのいずれかの解読に成功していることから解読結果に通し番号や所定の分割数ｎ等が含まれる場合には、分割コードの解読であるとして、ステップＳ１０７にてＹｅｓと判定される。この場合には、その解読結果の少なくとも一部、具体的には、分割データ及び通し番号等がメモリ３５に一時的に記憶される（Ｓ１０９）。そして、ステップＳ１１１に示す判定処理にて、全ての分割コードの解読に成功しているか否かについて判定され、全ての分割コードＣ１〜Ｃｎに対応する解読結果がメモリ３５に一時的に記憶されるまでＮｏと判定されて、上記ステップＳ１０１からの処理が繰り返される。なお、上記ステップＳ１０３の処理を実行する制御回路４０は、「解読部」の一例に相当し得る。
【００３６】
なお、ステップＳ１０９の一時記憶処理にて、既にメモリ３５に一時的に記憶されている通し番号が含まれる解読結果が解読されると、その解読結果を記憶することなく、上記ステップＳ１１１以降の処理がなされる。例えば、第１端末１０での分割コードの表示間隔に対して第２端末２０での撮像・解読間隔が速いために同じ分割コードが連続して解読される場合でもその後の解読結果がメモリ３５に記憶されることはない。また、各分割コードＣ１〜Ｃｎが順次表示される周回に関して２周目以降に同じ分割コードが解読される場合でもその後の解読結果がメモリ３５に記憶されることはない。
【００３７】
そして、第２端末２０にて読取処理を開始した後に第１端末１０にて各分割コードＣ１〜Ｃｎを表示部１３により順次表示していることから、最初の分割コードＣ１から通し番号順にて全ての分割データが解読されて記憶されると、ステップＳ１１１に示す判定処理にてＹｅｓと判定される。また、各分割コードＣ１〜Ｃｎを表示部１３により順次表示している状態で、その表示部１３に読取口２１ａを向けて読取処理を開始したことから、途中の分割コードから最後の分割コードＣｎまで通し番号順にて分割データが解読され、その後最初の分割コードＣ１から通し番号順にて上記途中の分割コードの前の分割コードまで通し番号順にて分割データが解読されることで、全ての分割データが解読されて記憶されると、ステップＳ１１１に示す判定処理にてＹｅｓと判定される。また、一部の分割コードの解読に失敗した場合でも、各分割コードＣ１〜Ｃｎが順次表示される２周目以降にてその分割コードの解読に成功することで、全ての分割データが解読されて記憶されると、ステップＳ１１１に示す判定処理にてＹｅｓと判定される。
【００３８】
上述のように全ての分割コードＣ１〜Ｃｎに対応する解読結果がメモリ３５に一時的に記憶されると（Ｓ１１１でＹｅｓ）、ステップＳ１１３に示す復元処理がなされ、メモリ３５に一時的に記憶される各分割データが対応する通し番号に基づいて連結されることで上記所定のデータが復元されて取得される。そして、ステップＳ１１５に示す記憶処理にて、このように復元された所定のデータがメモリ３５に記憶されて、本読取処理が終了する。なお、上記所定のデータが復元される場合には、メモリ３５に一時的に記憶される各分割データ等は消去される。なお、上記ステップＳ１１３の処理を実行する制御回路４０は、「取得部」の一例に相当し得る。
【００３９】
以上説明したように、本実施形態に係る情報伝達システム１では、第１端末１０にて、所定のデータを所定の分割数ｎにて分割した分割データごとに当該分割データを含めた分割コードＣ１〜Ｃｎが生成されると、各分割コードＣ１〜Ｃｎが表示部１３により個別に順次表示される。そして、第２端末２０にて、表示部１３にて順次表示された各分割コードＣ１〜Ｃｎが順次撮像されて解読されると、解読された複数の解読結果に基づいてそれぞれ得られた分割データから所定のデータが復元されて取得される。
【００４０】
これにより、無線通信を利用することなく第１端末１０から第２端末２０に対して所定のデータを伝達することができる。特に、大容量となる所定のデータを伝達する場合には、上記所定の分割数ｎを多くすればよいので、情報コードを光学的に読み取り可能な第２端末２０に対して大容量のデータを伝達することができる。
【００４１】
特に、第１端末１０により、分割データに加えて他の分割データと区別するための通し番号及び所定の分割数ｎを含めるように各分割コードＣ１〜Ｃｎが生成される。これにより、第２端末２０は、順次撮像されて解読される各分割コードＣ１〜Ｃｎの解読結果に含まれる通し番号及び所定の分割数ｎに基づいて各分割データから所定のデータを復元することで、所定のデータを容易に復元することができる。特に、通し番号や所定の分割数ｎを利用することで、復元処理の際の分割データの読み飛ばしや重複等をも検知できるため、読み飛ばした分割データの特定や重複する分割データの破棄等を容易に行うことができる。
【００４２】
さらに、表示部１３により、通し番号の最初の番号に対応する分割コードＣ１から最後の番号に対応する分割コードＣｎまで順次表示した後、再び最初の番号に対応する分割コードＣ１からの順次表示が繰り返される。これにより、第２端末２０にて全ての分割データが取得されるまで各分割コードＣ１〜Ｃｎの解読を順次行うことで、分割データの読み飛ばしが抑制されて、所定のデータを確実に復元することができる。
【００４３】
［第２実施形態］
次に、本発明の第２実施形態に係る情報伝達システムについて、図面を参照して説明する。
本第２実施形態では、第１端末１０に対して各分割コードＣ１〜Ｃｎのうちの１つを表示させるように指示可能な点が主に上記第１実施形態と異なる。このため、第１実施形態と実質的に同様の構成部分には同一符号を付して説明を省略する。
【００４４】
所定の表示間隔にて順次表示部１３に表示される各分割コードＣ１〜Ｃｎを撮像して解読する場合、第２端末２０を把持する手の手振れ等、作業状況によっては各分割コードＣ１〜Ｃｎのうちの一部の撮像・解読に失敗する場合がある。このような分割コードの解読の失敗をなくすため、各分割コードＣ１〜Ｃｎを何周も順次表示させることもできるが、より大容量のデータを伝達するために分割数ｎが多くなると、全ての分割コードＣ１〜Ｃｎを解読するまでにかなりの時間が必要になる場合がある。
【００４５】
そこで、本実施形態では、第１端末１０にて各分割コードＣ１〜Ｃｎを１周分だけ順次表示させ、第２端末２０にて読み取れなかった分割コードに対応する通し番号を表示部４６に表示する。そして、操作部１４は、通し番号に関する情報を入力操作可能に構成され、表示部４６に表示された通し番号を操作部１４の操作に応じて第１端末１０に入力し、この入力された通し番号に対応する分割コードを表示部１３に表示して第２端末２０に読み取らせることで、全ての分割コードＣ１〜Ｃｎを第２端末２０に伝達する。
【００４６】
以下、本実施形態における第２端末２０の読取処理について、図６に示すフローチャートを用いて詳述する。
第２端末２０にて読取処理を開始した後に第１端末１０にて各分割コードＣ１〜Ｃｎを表示部１３により順次表示していることから、最初の分割コードＣ１から通し番号順にて解読されていると（図６のＳ１０７でＹｅｓ）、解読された分割データ及び通し番号等がメモリ３５に一時的に順に記憶される（Ｓ１０９）。そして、ステップＳ２０１の判定処理にて最初の１周分の分割コードを撮像しているか否かについて判定され、最後の分割コードＣｎまでの１周分の分割コードが撮像（解読）されるまでＮｏと判定されて、上記ステップＳ１０１からの処理が繰り返される。なお、各分割コードＣ１〜Ｃｎを表示部１３により順次表示している状態で、その表示部１３に読取口２１ａを向けて読取処理を開始したことから、途中の分割コードＣｋから通し番号順にて解読されていると、通し番号に関して分割コードＣｋの直前となる分割コードＣｋ―１までの１周分の分割コードが撮像（解読）されるまでステップＳ２０１にてＮｏと判定されて、上記ステップＳ１０１からの処理が繰り返される。
【００４７】
そして、メモリ３５に一時的に記憶される通し番号に基づいて、最初の分割コードＣ１から最後の分割コードＣｎまでの最初の１周分の分割コードについて撮像されていると判定されると（Ｓ２０１でＹｅｓ）、ステップＳ１１１に示す判定処理にて、全ての分割コードの解読に成功しているか否かについて判定される。ここで、読み飛ばしも無く、最初の分割コードＣ１から通し番号順にて全ての分割データが解読されて記憶されると、ステップＳ１１１にてＹｅｓと判定される。続いて、メモリ３５に一時的に記憶される各分割データが対応する通し番号に基づいて連結されることで上記所定のデータが復元されて取得されると（Ｓ１１３）、ステップＳ２１３に示す報知処理がなされ、上記所定のデータが復元されて取得された旨が報知部として機能する表示部４６に表示されて報知される。その後、復元された所定のデータがメモリ３５に記憶されて（Ｓ１１５）、本読取処理が終了する。なお、上記ステップＳ１１１の判定処理を実行する制御回路４０は、「判定部」の一例に相当し得る。
【００４８】
一方、１つまたは２以上の分割コードが読み飛ばされているためにその分割コードに対応する分割データ及び通し番号等がメモリ３５に記憶されていない場合には、ステップＳ１１１にてＮｏと判定される。この場合には、ステップＳ２０３に示す通し番号表示処理がなされ、読み飛ばされた分割コードに対応する通し番号が報知部として機能する表示部４６に表示されて報知される。
【００４９】
その後、撮像処理（Ｓ２０５）及び解読処理（Ｓ２０７）がなされ、読み飛ばされた分割コードの解読に成功するまでステップＳ２０９にてＮｏと判定される。そして、全ての分割データが解読されて記憶されるまでステップＳ１１１にてＮｏと判定されて、上記ステップＳ２０３からの処理が繰り返され、通し番号が表示部４６に表示される表示状態となる。
【００５０】
ここで、表示部４６に表示される通し番号を見た利用者が、第１端末１０に対して操作部１４を操作して表示部４６に表示される１つの通し番号を入力することで、この入力された通し番号に対応する分割コードが表示部１３に表示される。
【００５１】
このように通し番号の入力に応じて表示部１３に表示された分割コードが第２端末２０により撮像されてその解読が成功すると（Ｓ２０９でＹｅｓ）、解読された分割データ及び通し番号等がメモリ３５に一時的に順に記憶される（Ｓ２１１）。そして、他に読み飛ばした分割コードがある場合には、ステップＳ１１１にてＮｏと判定されて、上記ステップＳ２０３以降の処理がなされる。この場合、表示部４６では、複数の通し番号が表示されていた状態から第１端末１０に入力した通し番号が除かれた表示状態となる（Ｓ２０３）。
【００５２】
そして、表示部４６に表示される通し番号が順に第１端末１０に入力され、表示部１３に表示される分割コードが第２端末２０により撮像されてその解読が成功することで全ての分割データが解読されて記憶されると、ステップＳ１１１にてＹｅｓと判定されて、ステップＳ１１３の復元処理がなされる。この処理では、報知前に解読された複数の解読結果に基づいてそれぞれ得られた分割データと、報知後に解読された１又は２以上の解読結果に基づいてそれぞれ得られた分割データとから上記所定のデータが復元されて取得される。そして、ステップＳ２１３に示す報知処理がなされ、上記所定のデータが復元されて取得された旨が表示部４６に表示されて報知される。
【００５３】
以上説明したように、本実施形態に係る情報伝達システム１では、第２端末２０にて、解読された複数の解読結果に基づいてそれぞれ得られた通し番号及び所定の分割数ｎから、解読されていない分割データがあると判定されると（Ｓ１１１でＮｏ）、当該分割データに対応する通し番号に関する情報が報知部として機能する表示部４６により表示されて報知される（Ｓ２０３）。そして、このような報知がなされると、この報知前に解読された複数の解読結果に基づいてそれぞれ得られた分割データと、報知後に解読された１又は２以上の解読結果に基づいてそれぞれ得られた分割データとから取得部により所定のデータが復元されて取得される（Ｓ１１３）。
【００５４】
これにより、例えば、順次表示される分割コードの１つの解読に失敗したために当該分割コードに含まれる分割データが取得されない場合でも、その分割データに対応する通し番号に関する情報が報知されるので、報知を受けた利用者は、再度撮像すべき分割コードを容易に特定することができる。そして、報知を受けた利用者による操作等に応じて、再度撮像すべき分割コードが撮像されて分割データが得られると、この分割データと報知前に得られた各分割データとから所定のデータが復元されて取得されるので、第２端末２０に対して大容量のデータを確実に伝達することができる。
【００５５】
さらに、所定のデータが復元されて取得されるとその旨が報知部として機能する表示部４６により表示されて報知される。これにより、通し番号に関する情報の報知を受けた利用者が再度撮像すべき分割コードを撮像したことで所定のデータが取得される場合にはその旨が報知されるので、一部の分割コードの解読が失敗した場合であっても、その後になされる報知を受けた利用者は、第２端末２０への所定のデータの伝達が完了したことを容易に把握することができる。なお、所定のデータが復元されて取得された場合には、その旨が報知部として機能するＬＥＤ４３の点灯点滅やブザー４４の鳴動を利用して報知されてもよい。また、所定のデータが復元されて取得される場合にその旨が報知部により報知される構成は、上記第１実施形態にも適用することができる。
【００５６】
特に、第１端末１０にて、操作部１４に対して通し番号に関する情報が入力操作されると、当該通し番号に対応する分割コードが表示部１３にて表示される。これにより、一部の分割コードの解読に失敗したために対応する通し番号に関する情報が報知される場合には、その報知を受けた利用者等による当該通し番号に関する情報の入力操作に応じて対応する分割コードが表示されるので、再度撮像すべき分割コードを第２端末２０にて容易に撮像することができる。
【００５７】
なお、本実施形態では、第１端末１０にて各分割コードＣ１〜Ｃｎを１周分だけ順次表示させることに限らず、少数回数、例えば２周分だけ順次表示させてもよい。
【００５８】
なお、本発明は上記各実施形態に限定されるものではなく、例えば、以下のように具体化してもよい。
（１）第２端末２０は、第１端末１０の表示部１３に対して読取口２１ａを向けた状態で載置できるように構成されてもよい。これにより、読取口２１ａを表示部１３に向けた載置状態にてなされる読取処理では、手振れの等の影響もなく表示部１３に表示される各分割コードＣ１〜Ｃｎの撮像・解読を確実に行うことができる。
【００５９】
（２）第２端末２０は、情報コードを光学的に読み取る専用のコードリーダとして構成されることに限らず、無線通信機能等の他の機能を兼備するように構成されてもよい。また、第２端末２０は、カメラ機能を有するスマートフォン等の携帯端末に対して所定のアプリケーションプログラムをインストールすることで構成されてもよい。
【００６０】
（３）第１端末１０は、第２端末２０に伝達すべき所定のデータを分割して分割コードを生成して順次表示可能な構成であれば、携帯型の端末として構成されてもよいし据え置き型の端末として構成されてもよい。
【符号の説明】
【００６１】
１…情報伝達システム
１０…第１端末
１１…制御部（情報コード生成部）
１３…表示部
１４…操作部
２０…第２端末
２３…受光センサ（撮像部）
４０…制御部（解読部，取得部，判定部）
４６…表示部（報知部）
Ｃ１〜Ｃｎ…分割コード（情報コード）
【図１】
2018124704.tif 000003
【図２】
2018124704.tif 000004
【図３】
2018124704.tif 000005
【図４】
2018124704.tif 000006
【図５】
2018124704.tif 000007
【図６】
2018124704.tif 000008